(57)【要約】【課題】液晶テレビジョンの使用中に生じる熱を放出させながら埃等の異物の混入を少なくさせることを課題とする。【解決手段】内部の熱を外部へ逃がすための放熱用スリット２６が形成されたキャビネット２０を備え、電源のオンオフを切り替えながら電源オン時に映像を表示する液晶テレビジョン（映像表示装置）１００において、電源のオンオフに応じて放熱用スリット２６を開閉するスリット開閉手段を設けた。このスリット開閉手段は、電源のラインに挿入された電磁石７０と、放熱用スリット２６に合わせた形状のスリット６２が形成されて磁化された状態の電磁石７０に引き寄せられて放熱用スリット２６を開放する一方で電磁石７０が磁化されていない状態になると当該電磁石７０から離れて放熱用スリット２６を閉じる磁性体の開閉板６０とで構成すると好適である。【選択図】図３
2006330393.tif 000002
【特許請求の範囲】
【請求項１】
前面に液晶表示面を覗かせる開口が形成されるとともに上面の後部が後側となるほど下がる斜面とされて内部の熱を外部へ逃がすための放熱用スリットが当該斜面に形成されたキャビネットと、交流電源から直流の一次電圧を生成して変圧することにより直流の二次電圧を供給するスイッチングレギュレータと、押圧操作により電源のオンオフを切り替える電源スイッチとを備え、電源オン時に同液晶表示面から映像を表示する液晶テレビジョンにおいて、
上記放熱用スリットに合わせた形状のスリットが形成された磁性体からなり、上記キャビネットの上面後部の内面に対して上記放熱用スリットを開放する所定のスリット開放位置と上記放熱用スリットを閉じる所定のスリット閉塞位置との間でスライド可能に支持された開閉板と、
上記直流の一次電圧の電源ラインまたは上記直流の二次電圧の電源ラインに挿入されて上記開閉板からみて当該開閉板のスライド方向となる位置であって当該開閉板を引き寄せたときに上記スリット開放位置にさせる位置において上記キャビネットの上面後部の内面に取り付けられた電磁石と、
上記開閉板からみて上記電磁石の取り付け位置とは反対となる位置において上記キャビネットの上面後部の内面に取り付けられるとともに上記開閉板を上記電磁石から引き離す方向に力を加えるつる巻きばねとを備え、
上記電源スイッチの押圧操作により上記電源がオンになると上記電磁石の磁化により上記開閉板が上記電磁石に引き寄せられて上記放熱用スリットが開放される一方、上記電源スイッチの押圧操作により上記電源がオフになると上記つる巻きばねの復元力により上記開閉板が上記つる巻きばねに引き寄せられて上記放熱用スリットが閉じるようにされたことを特徴とする液晶テレビジョン。
【請求項２】
内部の熱を外部へ逃がすための放熱用スリットが形成されたキャビネットを備え、電源のオンオフを切り替えながら電源オン時に映像を表示する映像表示装置において、
上記電源のオンオフに応じて上記放熱用スリットを開閉するスリット開閉手段を設けたことを特徴とする映像表示装置。
【請求項３】
上記スリット開閉手段は、
上記電源のラインに挿入された電磁石と、
上記放熱用スリットに合わせた形状のスリットが形成され、磁化された状態の上記電磁石に引き寄せられて上記放熱用スリットを開放する一方で上記電磁石が磁化されていない状態になると当該電磁石から離れて上記放熱用スリットを閉じる開閉板とを備えることを特徴とする請求項２に記載の映像表示装置。
【請求項４】
上記電源は、交流電源から直流の一次電圧を生成して変圧することにより直流の二次電圧を供給するスイッチングレギュレータとされ、
上記電磁石は、上記直流の一次電圧の電源ラインまたは上記直流の二次電圧の電源ラインに挿入されていることを特徴とする請求項３に記載の映像表示装置。
【請求項５】
上記キャビネットは、上面の後部が後側となるほど下がる斜面とされ、
上記放熱用スリットは、上記キャビネットの上面の後部に形成され、
上記開閉板は、磁性体で形成されるとともに、上記キャビネットの上面後部の内面に対して上記放熱用スリットを開放する所定のスリット開放位置と上記放熱用スリットを閉じる所定のスリット閉塞位置との間でスライド可能に支持され、
上記電磁石は、上記開閉板からみて当該開閉板のスライド方向となる位置であって当該開閉板を引き寄せたときに上記スリット開放位置にさせる位置において上記キャビネットの上面後部の内面に取り付けられ、
上記開閉板からみて上記電磁石の取り付け位置とは反対となる位置において上記キャビネットの上面後部の内面に取り付けられるとともに上記開閉板を上記電磁石から引き離す方向に力を加えるばねをさらに備えることを特徴とする請求項３または請求項４に記載の映像表示装置。
【請求項６】
上記キャビネットは、上面の後部が後側となるほど下がる斜面とされ、
上記放熱用スリットは、上記キャビネットの上面の後部に形成され、
上記開閉板は、上記キャビネットの上面後部の内面に対して当該内面に沿って前後方向へスライド可能に支持され、
上記電磁石は、上記開閉板の前方において上記キャビネットの上面後部の内面に取り付けられ、磁化されると上記開閉板を前方となる斜め上方へ引き寄せて上記放熱用スリットを開放させる一方で磁化されていない状態になると重力により上記開閉板を後方となる斜め下方へ離して上記放熱用スリットを閉じさせることを特徴とする請求項３または請求項４に記載の映像表示装置。
【請求項７】
上記放熱用スリットは、上記キャビネットの内部と外部とを結ぶ方向の一部に幅が狭くされた狭小部が形成され、
上記スリット開閉手段は、上記放熱用スリットの狭小部を塞ぐ形状とされるとともに電源オフ時に同放熱用スリット内で当該狭小部を閉じる位置へ移動する一方で電源オン時には上記キャビネットの内部と外部とを結ぶ方向において上記放熱用スリット内で上記狭小部よりも幅の広い位置へ移動する挿入部材を備えることを特徴とする請求項２に記載の映像表示装置。
【請求項８】
押圧操作により上記電源のオンオフを切り替える電源スイッチをさらに備え、
上記スリット開閉手段は、
上記放熱用スリットに合わせた形状のスリットが形成された開閉板と、
上記電源をオンにする押圧操作が行われた上記電源スイッチの押圧動作に連動して上記放熱用スリットを開放する方向へ上記開閉板を移動させる一方で上記電源をオフにする押圧操作が行われた上記電源スイッチの押圧動作に連動して上記放熱用スリットを閉じる方向へ上記開閉板を移動させる開閉板連動機構とを備えることを特徴とする請求項２に記載の映像表示装置。
【請求項９】
内部の熱を外部へ逃がすための放熱用スリットが形成されたキャビネットを備えて電源のオンオフを切り替えながら電源オン時に映像を表示する映像表示装置の放熱方法において、
上記電源のオンオフに応じて上記放熱用スリットを開閉することを上記映像表示装置が行うことを特徴とする映像表示装置の放熱方法。
【発明の詳細な説明】
【技術分野】
【０００１】
本発明は、内部の熱を外部へ逃がすための放熱用スリットが形成されたキャビネットを備え、電源のオンオフを切り替えながら電源オン時に映像を表示する液晶テレビジョン、映像表示装置および映像表示装置の放熱方法に関する。
【背景技術】
【０００２】
特許文献１には、プログラムコントローラのモジュールのモールドケースに設けられた放熱スリットについて、モールドケースの外面に手動で放熱スリットを自在に開閉する防塵カバーを装着して、配線作業中に防塵カバーで放熱スリットを閉じ、配線作業後は開いて放熱を行わせることが記載されている。ここで、防塵カバーを手動で開閉するため、一旦配線作業が終了すると、常時、放熱スリットが開かれた状態になる。
【特許文献１】特開平５−３２７２５４号公報
【発明の開示】
【発明が解決しようとする課題】
【０００３】
液晶テレビジョンは、薄型であるためキャビネット内に熱がこもりやすく、キャビネットに放熱用のスリットを設けることが求められている。しかし、配線作業後に常時スリットを開いた状態にすると、埃等の異物が混入しやすくなる。
【０００４】
本発明は、上記課題にかんがみてなされたもので、映像表示装置の使用中に生じる熱を放出させながら埃等の異物の混入を少なくさせることを目的とする。
【課題を解決するための手段】
【０００５】
上記目的を達成するため、本発明は、前面に液晶表示面を覗かせる開口が形成されるとともに上面の後部が後側となるほど下がる斜面とされて内部の熱を外部へ逃がすための放熱用スリットが当該斜面に形成されたキャビネットと、交流電源から直流の一次電圧を生成して変圧することにより直流の二次電圧を供給するスイッチングレギュレータと、押圧操作により電源のオンオフを切り替える電源スイッチとを備え、電源オン時に同液晶表示面から映像を表示する液晶テレビジョンにおいて、上記放熱用スリットに合わせた形状のスリットが形成された磁性体からなり、上記キャビネットの上面後部の内面に対して上記放熱用スリットを開放する所定のスリット開放位置と上記放熱用スリットを閉じる所定のスリット閉塞位置との間でスライド可能に支持された開閉板と、上記直流の一次電圧の電源ラインまたは上記直流の二次電圧の電源ラインに挿入されて上記開閉板からみて当該開閉板のスライド方向となる位置であって当該開閉板を引き寄せたときに上記スリット開放位置にさせる位置において上記キャビネットの上面後部の内面に取り付けられた電磁石と、上記開閉板からみて上記電磁石の取り付け位置とは反対となる位置において上記キャビネットの上面後部の内面に取り付けられるとともに上記開閉板を上記電磁石から引き離す方向に力を加えるつる巻きばねとを備え、上記電源スイッチの押圧操作により上記電源がオンになると上記電磁石の磁化により上記開閉板が上記電磁石に引き寄せられて上記放熱用スリットが開放される一方、上記電源スイッチの押圧操作により上記電源がオフになると上記つる巻きばねの復元力により上記開閉板が上記つる巻きばねに引き寄せられて上記放熱用スリットが閉じるようにされたことを特徴とする。
【０００６】
また、より一般的な構成として、本発明は、内部の熱を外部へ逃がすための放熱用スリットが形成されたキャビネットを備え、電源のオンオフを切り替えながら電源オン時に映像を表示する映像表示装置において、上記電源のオンオフに応じて上記放熱用スリットを開閉するスリット開閉手段を設けたことを特徴とする。
すなわち、上記スリット開閉手段により、キャビネットの放熱用スリットが電源のオンオフに応じて開閉する。これにより、映像表示装置の使用中に生じる熱を放出させながら不使用時に埃等の異物が映像表示装置内に侵入することを確実に防ぐことができる。従って、映像表示装置の使用中に生じる熱を放出させながら埃等の異物の混入を少なくさせることが可能となる。
さらに、本発明は、内部の熱を外部へ逃がすための放熱用スリットが形成されたキャビネットを備えて電源のオンオフを切り替えながら電源オン時に映像を表示する映像表示装置の放熱方法において、上記電源のオンオフに応じて上記放熱用スリットを開閉することを上記映像表示装置が行うことを特徴とする。
【０００７】
本発明を適用可能な映像表示装置は、液晶テレビジョン、受像管方式のテレビジョン、プラズマテレビジョン、テレビジョンとＤＶＤ再生装置との一体型装置、テレビジョンとビデオデッキとの一体型装置、液晶モニタ、等が考えられ、放送電波を受信して映像出力する受像装置を含むテレビジョンでもよいし、受像装置を含まない表示装置からなるモニタでもよい。
【０００８】
上記スリット開閉手段は、上記電源のラインに挿入された電磁石と、上記放熱用スリットに合わせた形状のスリットが形成され、磁化された状態の上記電磁石に引き寄せられて上記放熱用スリットを開放する一方で上記電磁石が磁化されていない状態になると当該電磁石から離れて上記放熱用スリットを閉じる開閉板とを備えると、電源オン時に電磁石が磁化して確実に開閉板を引き寄せて放熱用スリットを開放させ、電源オフ時に電磁石の磁化が解除されて開閉板が電磁石から離れて放熱用スリットが閉じる。
【０００９】
上記電源は、交流電源から直流の一次電圧を生成して変圧することにより直流の二次電圧を供給するスイッチングレギュレータとされ、上記電磁石は、上記直流の一次電圧の電源ラインまたは上記直流の二次電圧の電源ラインに挿入されていると、電源ラインに電磁石を挿入するだけという簡単な回路で放熱用スリットを開閉することができる。
【００１０】
上記開閉板からみて上記電磁石の取り付け位置とは反対となる位置において上記キャビネットの上面後部の内面に取り付けられるとともに上記開閉板を上記電磁石から引き離す方向に力を加えるばねをさらに備えてもよい。電源オン時に電磁石が磁化して確実に開閉板を引き寄せて放熱用スリットを開放させ、電源オフ時に電磁石の磁化が解除されてばねが確実に開閉板を電磁石から引き離して放熱用スリットを閉塞させる。
【００１１】
上記電磁石は、上記開閉板の前方において上記キャビネットの上面後部の内面に取り付けられ、磁化されると上記開閉板を前方となる斜め上方へ引き寄せて上記放熱用スリットを開放させる一方で磁化されていない状態になると重力により上記開閉板を後方となる斜め下方へ離して上記放熱用スリットを閉じさせてもよい。電源オフ時に電磁石の磁化が解除されて重力により開閉板が電磁石から離れて放熱用スリットが閉じる。
【００１２】
上記スリット開閉手段は、上記放熱用スリットの狭小部を塞ぐ形状とされるとともに電源オフ時に同放熱用スリット内で当該狭小部を閉じる位置へ移動する一方で電源オン時には上記キャビネットの内部と外部とを結ぶ方向において上記放熱用スリット内で上記狭小部よりも幅の広い位置へ移動する挿入部材を備えてもよい。電源オフ時に挿入部材が放熱用スリットの狭小部を閉じる一方で、電源オン時には挿入部材が放熱用スリット内で上記狭小部よりも幅の広い位置へ移動して放熱用スリットを開放させる。
【００１３】
上記電源をオンにする押圧操作が行われた上記電源スイッチの押圧動作に連動して上記放熱用スリットを開放する方向へ上記開閉板を移動させる一方で上記電源をオフにする押圧操作が行われた上記電源スイッチの押圧動作に連動して上記放熱用スリットを閉じる方向へ上記開閉板を移動させる開閉板連動機構が設けられてもよい。機械的に、電源のオンオフに応じて放熱用スリットが開閉される。
【発明の効果】
【００１４】
請求項１にかかる発明によれば、液晶テレビジョンの使用中に生じる熱を放出させながら埃等の異物の混入を少なくさせることが可能になる。
請求項２、請求項９にかかる発明では、映像表示装置の使用中に生じる熱を放出させながら埃等の異物の混入を少なくさせることが可能になる。
請求項３にかかる発明では、確実に放熱用スリットを電源オン時に開放する一方で電源オフ時に閉じておくことができる。
【００１５】
請求項４にかかる発明では、簡単な回路で放熱用スリットを開閉することができる。
請求項５にかかる発明では、確実に放熱用スリットを電源オン時に開放する一方で電源オフ時に閉じておくことができる。
請求項６にかかる発明では、電磁石から引き離す方向に力を加えるための部材が不要になるので、部品代を削減することができる。
【００１６】
請求項７にかかる発明では、確実に放熱用スリットを電源オン時に開放する一方で電源オフ時に閉じておくことができる。
請求項８にかかる発明では、メカ式なので、確実に放熱用スリットを電源オン時に開放する一方で電源オフ時に閉じておくことができる。
【発明を実施するための最良の形態】
【００１７】
以下、下記の順序に従って本発明の実施形態を説明する。
（１）液晶表示装置の説明：
（２）液晶表示装置の作用：
（３）変形例：
【００１８】
（１）液晶表示装置の説明：
図１は本発明の液晶表示装置を適用した液晶テレビジョン（以下、ＴＶ）１００を正面側から見て示す正面図であり、図２は同ＴＶを裏面側から見て示す斜視図である。なお、図１と図２を基準として上下左右前後の関係を説明する。図３と図４は、後側キャビネット２４の上面２５の裏面側を示す図である。
【００１９】
本ＴＶ１００は、金属製のスタンド１０、このスタンドに下方を支持された合成樹脂製のキャビネット２０、インバータ方式の電源回路３０、電源スイッチ４０、液晶表示面５２を有する液晶パネル、バックライト、各種電気回路、開閉板６０、電磁石７０、つる巻きばね（付勢手段）８０、等を備えている。
キャビネット２０は、前面に液晶表示面を覗かせる開口２２ａが形成された前側キャビネット２２と、上面が後側となるほど下がる斜面２５とされて放熱用スリット２６が当該斜面２５に形成された後側キャビネット２４と、が嵌め合わされ、前後方向の長さが短い薄型に形成されている。キャビネット２０内には上述した液晶パネルやバックライトや各種回路が収容されているので、電源オン時には熱が生じる。液晶テレビジョンの場合には薄型のキャビネットが用いられるので、特に熱がこもりやすい。キャビネット内部の熱を外部へ逃がすため、キャビネットの内部と外部とを貫通したスリット２６がキャビネット２０に形成されている。前後キャビネット２２，２４が嵌め合わされることにより、キャビネット２０において上面の後部が後側となるほど下がる斜面２５にスリット２６が設けられていることになる。
また、上記斜面２５の内面２５ａには、開閉板６０を左右方向（水平方向）へスライド可能に支持する溝構造２５ｂ，ｃが形成されている。当該溝構造２５ｂ，ｃは、開閉板６０を挿入可能な溝２５ｂ１，２５ｃ１が形成され、放熱用スリット２６を開放する所定のスリット開放位置Ｌ２でスライド動を規制する規制部２５ｄ，ｅが形成され、放熱用スリット２６を閉じる所定のスリット閉塞位置Ｌ１でスライド動を規制する規制部２５ｆ，ｇが形成されている。なお、規制部２５ｄ，ｅは、別部材とされ、後側キャビネット２４の内面２５ａに対して着脱可能に取り付けられている。そして、溝構造２５ｂ，ｃは、開閉板６０を両位置Ｌ１，Ｌ２の間でスライド可能に支持する。
【００２０】
図５に示すように、電源回路３０は、概略、スイッチング回路Ａ１、トランスＡ２、直流化回路Ａ３、フィードバック回路Ａ４を備え、例えば１００Ｖの商用電源である交流電源Ｂ１から直流の一次電圧を生成して変圧することにより直流の二次電圧を供給するスイッチングレギュレータとされている。
スイッチング回路Ａ１は、発振用トランジスタＱ１１を備えており、一次側直流電圧をオンオフしてパルス状の一次側電圧を生成する。トランスＡ２は、生成された一次側電圧を入力して四種類の電位の二次側電圧に変換して出力する。直流化回路Ａ３は、各電位の二次側電圧の出力部のそれぞれにアノード側を接続された整流用ダイオードＤ２１〜Ｄ２４と、整流用ダイオードＤ２１〜Ｄ２４のカソード側とグランドとの間にそれぞれ介在する整流用コンデンサＣ２１〜Ｃ２４とを有し、整流用ダイオードＤ２１〜Ｄ２４のカソード側から各電位の直流電圧を出力している。フィードバック回路Ａ４は、最も高電位の直流電圧（１２０Ｖ）のみの電位に基づいて、同高電位の直流電圧を一定にするようにスイッチング回路に一次側直流電圧をオンオフさせる制御を行っている。
【００２１】
前側キャビネット２２の前面には、押圧操作により電源のオンオフを切り替える電源スイッチ４０が取り付けられている。ユーザが電源をオンにさせる押圧操作を電源スイッチ４０に対して行うと、交流電源がシリコンブリッジ９１に供給されて整流され、電解コンデンサ９２で平滑されて直流の一次電圧が生成される。そして、トランスＡ２で変圧され、直流化回路Ａ３で直流の二次電圧が生成されて、液晶表示面５２から映像が表示される。一方、ユーザが電源をオフにさせる押圧操作を電源スイッチ４０に対して行うと、交流電源の供給が遮断され、直流の一次電圧および二次電圧が生成されなくなって、映像画面が消える。
【００２２】
開閉板６０は、磁石に引き寄せられる強磁性体で板状に形成してある。この開閉板には、放熱用スリット２６に合わせた形状のスリット６２を形成してある。開閉板６０は、キャビネット２０の上面後部２５の内面２５ａに対してスリット開放位置Ｌ２とスリット閉塞位置Ｌ１との間で左右方向へスライド可能に支持されている。
【００２３】
電磁石７０は、開閉板６０からみて当該開閉板のスライド方向となる左の位置においてキャビネットの上面後部の内面２５ａに設けられている。具体的には、開閉板６０を引き寄せたときにスリット開放位置Ｌ２にさせる位置において電磁石７０がキャビネット内面２５ａに取り付けられている。図５に示すように、本実施形態の電磁石７０は、直流の二次電圧の電源ラインに挿入され、一端がＥ３＝１５Ｖの直流電源ラインに接続され、他端がグランドに接続されている。なお、電磁石の挿入箇所は、Ｅ４，Ｅ２，Ｅ１の直流電源ライン（位置Ｌ１１，Ｌ１２，Ｌ１３）でもよいし、直流の一次電圧の電源ライン（位置Ｌ１４）でもよい。直流の電源ラインに挿入されると開閉板に振動が生じない点で好適であるものの、交流の電源ラインに挿入することも可能である。また、電磁石を電源ラインに挿入すると電磁石を駆動するために別途配線を設ける必要が無い点で好適であるものの、別途配線を引いて電磁石を接続してもよい。
【００２４】
ばね８０は、開閉板６０からみて電磁石７０の取り付け位置とは反対となる右の位置においてキャビネット内面２５ａに設けられている。具体的には、左端がキャビネット内面２５ａに係止されて固定されるとともに右端が開閉板６０の左側縁部に係止されて固定されるようにばね８０がキャビネット内面２５ａに取り付けられている。ばね８０は、開閉板６０を電磁石７０から引き離す方向に力を加えている。
本実施形態において、電源のオンオフに応じて放熱用スリットを開閉するスリット開閉手段は、開閉板６０と電磁石７０と付勢手段８０とから構成される。
【００２５】
本ＴＶ１００は、例えば、以下のようにして製造される。
まず、合成樹脂を射出成形して前側キャビネット２２を形成するとともに、別部材とされた規制部２５ｄ，ｅを除いて後側キャビネット２４を合成樹脂の射出成形により形成する。また、磁性体のプレス成形により開閉板６０を形成する。次に、開閉板６０を後側キャビネットの溝２５ｂ１，２５ｃ１内に挿入し、別部材の規制部２５ｄ，ｅを後側キャビネットの上部内面２５ａに取り付ける。さらに、電磁石７０とばね８０を後側キャビネットの上部内面２５ａの所定位置に取り付け、また、電源スイッチ４０等を前側キャビネット２２の所定位置に取り付ける。そして、液晶パネルやバックライトや各種回路をキャビネット内に収容するようにして前後キャビネット２２，２４を嵌め合わせ、本ＴＶ１００を形成する。
【００２６】
次に、本映像表示装置の作用を説明する。
電源がオフのとき、ばね８０の付勢力により、開閉板６０はばね８０に引き寄せられてスリット閉塞位置Ｌ１とされている。すると、図３に示すように、各放熱用スリット２６は、各スリット６２とは異なる位置となり、開閉板６０によって閉塞されている。
電源をオンにさせる押圧操作が電源スイッチ４０に対して行われると、当該スイッチの接点が導通して電源回路３０に交流電源が供給され、直流の一次電圧が生成され、変圧されて、直流の二次電圧が生成される。すると、電磁石７０は、通電されて磁化され、磁性体の開閉板６０に対して吸引力Ｆ１を加えてスリット開放位置Ｌ２までスライドさせる。このとき、図４に示すように、各放熱用スリット２６は、各スリット６２と重なる位置となり、開閉板６０によって開放される。従って、液晶テレビジョンの使用中に生じる熱を放熱用スリットから放出させることができる。
【００２７】
一方、電源をオフにさせる押圧操作が電源スイッチ４０に対して行われると、当該スイッチの接点が遮断されて電源回路３０への交流電源の供給が停止し、直流の一次電圧および二次電圧の生成が停止する。すると、電磁石７０の磁化が解除されて吸引力Ｆ１が消える一方、ばね８０が開閉板６０に対して復元力Ｆ２を加えてスリット閉塞位置Ｌ１までスライドさせる。このとき、図３に示すように、各放熱用スリット２６は、各スリット６２と異なる位置となり、開閉板６０によって閉塞される。従って、不使用時に埃等の異物が映像表示装置内に侵入することを確実に防ぐことができる。
【００２８】
以上説明したように、本映像表示装置は、放熱用スリットを電源のオンオフに応じて開閉するスリット開閉手段を設けたので、映像表示装置の使用中に生じる熱を放出させながら不使用時に異物が映像表示装置内に侵入することを確実に防ぐことができる。従って、映像表示装置の使用中に生じる熱を放出させながら異物の混入を少なくさせることが可能になる。
また、開閉板がキャビネットの内面に取り付けられているので、ユーザが不用意に開閉板をスライドさせることがない。従って、本映像表示装置は、自動で放熱用スリットを開閉する際に好適な構成になっている。むろん、このような効果が得られないものの、熱を放出させながら異物の混入を少なくさせる効果は開閉板をキャビネットの外面に対してスライド可能に取り付けることによっても得られる。
【００２９】
（３）変形例：
ところで、本発明は、様々な変形例が考えられる。
液晶テレビジョンは、ビデオデッキが一体化された液晶テレビジョン、ＤＶＤ再生装置が一体化された液晶テレビジョン等でもよい。また、液晶テレビジョン以外にも、放送電波を受信するチューナ（受信装置）を含まない映像表示装置にも本発明を適用可能である。
上記開閉板は、一部のみが磁性体で、残りが非磁性体でもよい。
また、開閉板をスリット開放位置とスリット閉塞位置との間で往復駆動するスライド駆動機構を設け、内蔵する制御回路にて電源スイッチの操作を検出し、電源をオンにさせる指示である場合にスライド駆動機構にて開閉板をスリット開放位置へスライドさせ、電源をオフにさせる指示である場合にスライド駆動機構にて開閉板をスリット閉塞位置へスライドさせる制御を行ってもよい。
【００３０】
図６に示すように、キャビネット２０の上面後部２５の内面２５ａに対して当該内面２５ａに沿って前後方向へスライド可能に磁性体の開閉板６０を支持するようにしてもよい。ここで、電磁石７０は、開閉板６０の前方においてキャビネット内面２５ａに取り付けられている。また、ばねは設けられていない。
電源がオフのとき、重力により、開閉板６０は後方となる斜め下方のスリット閉塞位置とされている。各放熱用スリット２６は、各スリット６２とは異なる位置となり、開閉板６０によって閉塞されている。
電源がオンになると、電磁石７０は、通電されて磁化され、磁性体の開閉板６０を前方となる斜め上方のスリット開放位置まで引き寄せる。すると、各放熱用スリット２６は、各スリット６２と重なる位置となり、開閉板６０によって開放される。
電源がオフになると、電磁石７０は磁化されていな状態になり、開閉板６０は重力により後方となる斜め下方のスリット閉塞位置までスライドする。すると、各放熱用スリット２６は、各スリット６２と異なる位置となり、開閉板６０によって閉塞される。
従って、電磁石から引き離す方向に力を加えるための部材が不要になり、部品代を削減することができる。
【００３１】
図７に示すように、各放熱用スリット１２６内で移動可能な挿入部材１６０をそれぞれ挿入してスリット１２６を開閉するスリット開閉手段を設けてもよい。本変形例では、各スリット１２６に、キャビネットの内部と外部とを結ぶ上下方向の一部に幅が狭くされた狭小部１２６ａと、この狭小部よりも幅が広い広幅部１２６ｂとを形成してある。各挿入部材１６０は、スリットの狭小部１２６ａを塞ぐ形状とされ、電源オフ時にスリット１２６内で狭小部１２６ａを閉じる位置へ移動する一方、電源オン時にはキャビネットの内部と外部とを結ぶ上下方向においてスリット１２６内で狭小部１２６ａよりも幅の広い広幅部１２６ｂの位置へ移動する
以上により、確実に放熱用スリットを電源オン時に開放する一方で電源オフ時に閉じておくことができる。
【００３２】
図８に示すように、押圧操作により上記電源のオンオフを切り替える電源スイッチ２４０を利用してスリット開閉手段を構成してもよい。
本変形例において、開閉板２６０は、合成樹脂製キャビネット２２０の放熱用スリット２２６に合わせた形状のスリット２６２が形成されている。また、スリット開閉手段として、ノック機構２７１と棒状部材２７２とつる巻きばね２７３とクランク部材２７４と開閉板支持棒２７５を備える開閉板連動機構が設けられている。開閉板連動機構は、電源スイッチ２４０に対して電源をオンにする押圧操作が行われると、図９に示すように、電源スイッチ２４０の押圧動作に連動して放熱用スリット２２６を開放する方向へ開閉板２６０を移動させる。一方、電源スイッチ２４０に対して電源をオフにする押圧操作が行われると、図８に示すように、電源スイッチ２４０の押圧動作に連動して放熱用スリット２２６を閉じる方向へ開閉板２６０を移動させる
機械的に電源のオンオフに応じて放熱用スリットが開閉されるので、確実に放熱用スリットを電源オン時に開放する一方で電源オフ時に閉じておくことができる。
以上の各種変形例においても、同様の作用、効果が得られ、映像表示装置の使用中に生じる熱を放出させながら埃等の異物の混入を少なくさせることが可能になる。
【図面の簡単な説明】
【００３３】
【図１】液晶テレビジョンの正面図である。
【図２】液晶テレビジョンの斜視図である。
【図３】電源オフ時に放熱用スリットを閉じている状態を示す図である。
【図４】電源オン時に放熱用スリットを開いた状態を示す図である。
【図５】電源回路の構成を示す回路図である。
【図６】変形例において後側キャビネットの上面の裏面側を示す図である。
【図７】変形例において後側キャビネットの上面の要部を示す垂直断面図である。
【図８】変形例の液晶テレビジョンの要部を示す垂直断面図である。
【図９】変形例の液晶テレビジョンの要部を示す垂直断面図である。
【符号の説明】
【００３４】
１０…スタンド、
２０，２２０…合成樹脂製のキャビネット、
２２…前側キャビネット、２２ａ…開口、
２４…後側キャビネット、２５…斜面、２５ａ…内面、
２６，１２６，２２６…放熱用スリット、
３０…スイッチングレギュレータ（電源回路）、
４０，２４０…電源スイッチ、
５２…液晶表示面、
６０…磁性体製開閉板、６２，２６２…スリット、
７０…電磁石、
８０…つる巻きばね（付勢手段）、
１００…液晶テレビジョン（映像表示装置）、
１６０…挿入部材、
２６０…開閉板、
２７１〜２７５…開閉板連動機構、
Ｆ１…吸引力、Ｆ２…復元力、
Ｌ１…スリット閉塞位置、Ｌ２…スリット開放位置
【図１】
2006330393.tif 000003
【図２】
2006330393.tif 000004
【図３】
2006330393.tif 000005
【図４】
2006330393.tif 000006
【図５】
2006330393.tif 000007
【図６】
2006330393.tif 000008
【図７】
2006330393.tif 000009
【図８】
2006330393.tif 000010
【図９】
2006330393.tif 000011